(57)【特許請求の範囲】
【請求項１】
底面に形成された横長の吸入口部と、
この吸入口部の長手方向に沿った底面を凹ませた段部と、
この段部の前記吸入口部側に沿って設けられた弾性材料からなるシール材と、
このシール材に対して前記吸入口部と反対側の前記段部が前記吸入口部の長手方向の内側面に連通するようにした複数の連通溝と、
を備え、
じゅうたん清掃時に前記シール材が横に折曲げられたとき、折曲げられた前記シール材が前記段部に収納されるようにしたことを特徴とする電気掃除機用床ブラシ。
【発明の詳細な説明】
【０００１】
【発明の属する技術分野】
本発明は、電気掃除機の床ブラシの改良に関するものである。
【０００２】
【従来の技術】
図９は電気掃除機に使用される従来の床ブラシの底面図、図１０は図９の側面ＡＡ断面図である。図において１は床ブラシ、２は上ケース、３は吸入口、４は吸入通路、５は床面１０に対向している下ケースで材質はＡＢＳまたはＰＰ等から構成されている。６は上ケースと下ケースに挟持されたバンパ、８はパイプ１２に接続され左右に回転自在にできるエルボである。９は上ケース２と下ケース６に挟持され上下に回転自在にできるカップリングである。１７は下ケース６に回転自在に取り付けられた前車輪である。１８は下ケース６に回転自在に取り付けられた後車輪である。前車輪１７と後車輪１８により下ケース６は床面１０に対して約１．０ｍｍから約４ｍｍほどすき間が設けられ、これにより床ブラシ１の前後動が可能となっている。
【０００３】
図１１はシール材の組立図である。シール材２０は軟質塩ビまたはゴム等からなる弾性材料からなり、長手方向表面に突起２８またはミゾまたは無数の円錐突起の凸部が設けてあるものもある。
２１はシール材２０を保持する断面略コの字形状のホルダーであり、硬質塩ビまたはＡＢＳ等のプラスチック等の材質からなり、押し出成形またはインジェクション成形され、シール材２０はホルダー２１に挿入され組立られるか、またはシール材２０と二重成形されているものもある。
このように組み立てられたシール材２０は下ケース５のツメ部１１により下ケース５に装着保持される。
【０００４】
次に、動作につき図９、図１０により説明する。図１１のように組立られたシール材２０は下ケース５のメツ部１１により下ケース５に装着保持され、床面１０に対してほぼ接触するように設けられている。先に説明したとおり下ケース６と床面１０に対して約１．０ｍｍから約４ｍｍほどすき間に空間３０がシール材２０を境に吸入通路４後方にシール材２０によって形成される。
また、シール材２０は吸引口３と吸引通路４の近傍後方（図９では下）に位置するのが一般的であり、吸引のための真空度をあげる目的と、塵挨が後方に行かないようにする目的とがある。
【０００５】
図１０において、電気掃除機本体に接続するホース（図示せず）をパイプ１２に接続してスイッチをＯＮにすれば、床上のごみは空気とともに吸入口３より吸入され、カップリング９、エルボ８を経てパイプ１２、ホース（図示せず）より電気掃除機本体に運ばれ、電気掃除機本体内でごみは紙パック等（図示せず）で除去され清浄空気のみ電気掃除機本体より機外へ排出される。
【０００６】
【発明が解決しようとする課題】
一般に床面清掃するときは床ブラシ１を床面１０の前後動作（ジグザグ掃除）繰り返しながら塵埃等を吸い込むが、上記のような従来の電気掃除機用床ブラシは、紙パック等に塵挨が溜まってくると電気掃除機本体の吸い込み力が低下したとき、紙パック等に塵挨が溜まってくると電気掃除機本体の吸い込み力が低下するので、図１０の様に床ブラシ１をＦ方向に動作すると、すなわち床ブラシ１を引くと、シール材２０は床面１０に対してほぼ接触するように設けられているため、シール材２０が塵埃をせき止め、熊手の様に塵埃３２を手前に引いてきてしまい取り残してしまうという問題があった。また、図１２に示すような１列に連続した毛ブラシ３５にも同様な問題があった。
【０００７】
なお、紙パック等に塵竣が溜まっていない時は電気掃除機本体の吸い込み力が低下しないので、シール材２０は吸入口３側にめくれ、床面１０との間に隙間が生じるときは問題とならない。
【０００８】
また、図１３のようにシール材２０は毛足の長いじゅうたん２５では下ケース６とじゅうたん２５との間に挟まり、ヨコになり接触面積が増え（摩擦力）操作力が大きくなり床ブラシ１の動作が重くなるという問題があった。また、シール材２０の長手方向表面に突起またはミゾまたは無数の円錐突起の突起が設けてあるものではさらに床ブラシ１の動作が重くなるという問題があった。
また、シール材２０が軟質塩ビまたはゴム等からなり、ホルダー２１が硬質塩ビ等のプラスチック等の場合、廃却時に分別収集のため分解するのが容易でなかった。
【０００９】
本発明は上記のような課題を解決するためになされたもので、床ブラシを引いたときに塵埃を手前に引いてきてしまい取り残してしまうのを防止するとともに、床ブラシの動作がシール材で重くなることを防止することのでき、また、廃却時の分別収集を容易にできる電気掃除機用床ブラシを供給することを目的とする。
【００１０】
【課題を解決するための手段】
本発明に係る電気掃除機用床ブラシは、底面に形成された横長の吸入口部と、この吸入口部の長手方向に沿った底面を凹ませた段部と、この段部の前記吸入口部側に沿って設けられた弾性材料からなるシール材と、このシール材に対して前記吸入口部と反対側の前記段部が前記吸入口部の長手方向の内側面に連通するようにした複数の連通溝と、を備え、じゅうたん清掃時に前記シール材が横に折曲げられたとき、折曲げられた前記シール材が前記段部に収納されるようにしたものである。
【００１４】
【発明の実施の形態】
実施の形態１．
図１は本発明の実施の形態１を示す床ブラシの底面図、図２は本発明の実施の形態１を示す床ブラシのＢＢ断面図である。
図１、図２において、１は床ブラシ、２は上ケース、５は床面１０に対向して設けられた下ケースで材質はＡＢＳまたはＰＰ等から構成されている。３は下ケース５に設けられた中央部の吸入口、４は吸入口３の両側に設けられた吸入通路である。吸入口３と吸入通路４は略横長の吸入口部１５を構成する。５ａは下ケースの底面、５ｂは底面５ａのうち吸入口部１５の長手方向に沿った底面部である。
【００１５】
６は上ケースと下ケースに挟持されたバンパ、８はパイプ１２に接続され左右に回転自在にできるエルボである。９は上ケース２と下ケース６に挟持され上下に回転自在にできるカップリングである。１７は下ケース６に回転自在に取り付けられた前車輪である。１８は下ケース６に回転自在に取り付けられた後車輪である。前車輪１７と後車輪１８により下ケース６は床面１０に対して約１．０ｍｍから約４ｍｍほどすき間が設けられている。
【００１６】
２０は吸入口部１５の長手方向に沿った底面部５ｂに設けられた弾性材料からなるシール材であり、軟質塩ビまたはゴム等からなり、長手方向表面に突起またはミゾまたは無数の円錐突起の凸が設けてあるものもある。
３１はシール材２０に対して吸入口部１５と反対側の底面部５ｂが吸入口部１５の長手方向の内側面に連通するように設けられた連通溝である。
即ち、連通溝３１は、図２に示すように、下ケース５の吸入通路４、床面１０及びシール材２０で囲まれた空間と、床面１０、下ケース５の底面部５ｂ及びシール材２０で囲まれた空間３０とを連通する。
【００１７】
次に、図２により動作を説明する。電気掃除機本体に接続するホース（図示せず）をパイプ１２に接続してスイッチをＯＮにすれば、床面１０上のごみは空気とともに床ブラシ１の吸入通路４と吸入口３より吸入され、カップリング９、エルボ８を経てパイプ１２、ホースより電気掃除機本体に運ばれ、電気掃除機本体内でごみは紙パック等（図示せず）で除去され清浄空気のみ電気掃除機本体より機外へ排出される。
このとき、シール材２０は床面１０に対してほぼ接触するように設けられているので、吸引のための真空度をあげるとともに、塵挨が後方に行かないようにする。
【００１８】
また、床ブラシ１を床面１０の上を前後動作（ジグザグ掃除）繰り返しながら塵埃等を吸い込んだ時、紙パック等に塵埃が溜まってくると電気掃除機本体の吸い込み力が低下し、シール材２０は床面１０に対してほぼ垂直に接触しているので、床ブラシ１を引いたときシール材２０が塵埃をせき止め、熊手の様に塵埃を手前に引いてきてしまい取り残されそうになるが、連通溝３１により、せき止められた塵挨等は矢印の流れのように連通口３１より吸入通路４に流れ、吸入口３に吸い込まれる。
【００１９】
以上のように、床ブラシ１を引いたときに塵埃を手前に引いてきてしまい取り残してしまうのを防止することができる。
また、連痛溝３１にドライバーなどを差し込めば、簡単にツメ部１１からホルダー２１とシール材２０を外すことができる。
【００２０】
なお、本実施の形態ではシール材２０が弾性材料できているもので説明したが、図１２に示した１列に連続した毛ブラシでもよく、同様な効果が得られる。
【００２１】
実施の形態２．
図３は本発明の実施の形態２を示す床ブラシの底面図、図４は本発明の実施の形態２を示す床ブラシのＣＣ断面図、図５は本発明の実施の形態２を示す床ブラシの動作説明図、図６はシール材の斜視図である。図３、４、５において、実施の形態１の図１、２と同一の部分には同一の符号を付し説明を省略する。３２は吸入口部１５の長手方向に沿った底面５ｂを凹ませた段部であり、この段部３２の吸入口部１５側に沿ってシール材２０が設けられる。図３、４に示すように、段部３２の長さはシール材２０とほぼ同じ長さで、段部３２の底面５ａからの深さｈはｈ≧ｔ（ｔはシール材２０の厚さ）、段部３２の前後方向の長さＬはＬ≧Ｈ（Ｈはシール材２０の床面までの距離）である。
【００２２】
また、図６において、２９はシール材２０に設けられた連通穴である。
【００２３】
この構成において、じゅうたん２５の清掃時に、床ブラシ１を前方に押したときにシール材２０が毛足の長いじゆたん２５と下ケース６との間にはさまり折曲がりヨコになったとしても、段部３２の長さを前記シール材２０とほほ同じ長さで、段部３２の深さｈはシール材２０の厚さｔよりも深く、段部３２の前後方向の長さＬはシール材２０の床面までの距離Ｈよりも長くしたので、前記シール材２０は段部３２に収納される。
【００２４】
また、床ブラシ１を床面１０の上を前後動作を繰り返しながら塵埃等を吸い込んだ時、吸い込み力が低下するので、床ブラシ１を引いたときシール材２０が塵埃をせき止め、熊手の様に塵埃を手前に引いてきてしまい取り残されそうになるが、連通穴２９によりせき止められた塵挨等は吸入通路４に流れ、吸入口３に吸い込まれる。このとき、段部３２により連通穴２９に吸入される空気は下方からのもとなりシール性をあまり低下せずに塵埃の吸入を行うことができる。
また、連通穴２９によってシール材２０の根元部の屈曲力が下がりじゅうたんに対しての反発力が少なくなる。
【００２５】
以上のように、じゅうたん２５の清掃時に、床ブラシの動作がシール材２０との摩擦で重くなることを防止することができ、また、床ブラシ１を引いたときに塵埃を手前に引いてきてしまい取り残してしまうのを防止することができる。
【００２６】
実施の形態３．
図７は本発明の実施の形態３を示す床ブラシの底面図、図８は本発明の実施の形態３を示す床ブラシのＤＤ断面図である。
図７、８において、実施の形態２の図１、２及び実施の形態２の図４と同一の部分には同一の符号を付し説明を省略する。
本実施の形態は実施の形態２で示した構成で、シール２０には連通穴２９を設けずに、シール材２０に対して吸入口部１５と反対側の段部３２が吸入口部１５の長手方向の内側面に連通するようにした連通溝３１を２つ設けたものである。即ち、連通溝３１は、図８に示すように、下ケース５の吸入通路４、床面１０及びシール材２０で囲まれた空間と、床面１０、下ケース５の段部３２及びシール材２０で囲まれた空間３０とを連通する。
【００２７】
この構成において、床ブラシ１を引いたとき、シール材２０が塵埃をせき止め、熊手の様に塵挨を手前に引いてきてしまい取り残されそうになるが、段部３２に連通溝３１を設けたことにより、せき止められた塵挨等は段部３２の中を一旦連通溝３１に向かいそして矢印の流れのように連通溝３１より吸入通路４に流れ吸入口３に吸い込まれる。このとき、段部３２は吸入通路の役目も果たすことになる。
【００２８】
また、じゅうたん２５の清掃時に、床ブラシ１を前方に押したときにシール材２０が毛足の長いじゆたん２５と下ケース６との間にはさまり折曲がりヨコになったとしても、シール材２０は段部３２に収納される。
【００２９】
以上のように、塵挨をより効果的に連通溝３１に集めることができ、床ブラシ１を引いたときに塵埃を手前に引いてきてしまい取り残してしまうのをより効率的に防止することができる。
また、じゅうたん２５の清掃時に、床ブラシの動作がシール材２０との摩擦で重くなることを防止することができる。
【００３０】
なお、本実施の形態ではシール材２０が弾性材料できているもので説明したが、１列に連続した毛ブラシにも同様な効果が得られる。
【００３１】
【発明の効果】
以上のように、本発明によれば、底面に形成された横長の吸入口部と、この吸入口部の長手方向に沿った底面を凹ませた段部と、この段部の前記吸入口部側に沿って設けられた弾性材料からなるシール材と、このシール材に対して前記吸入口部と反対側の前記段部が前記吸入口部の長手方向の内側面に連通するようにした複数の連通溝と、を備え、じゅうたん清掃時に前記シール材が横に折曲げられたとき、折曲げられた前記シール材が前記段部に収納されるようにしたので、塵挨をより効果的に連通溝に集めることができ、床ブラシを引いたときに塵埃を手前に引いてきてしまい取り残してしまうのを防止することができる。また、床ブラシの動作がシール材で重くなることを防止することができる。
【図面の簡単な説明】
【図１】  本発明の実施の形態１を示す電気掃除機用床ブラシの底面図である。
【図２】  本発明の実施の形態１を示す電気掃除機用床ブラシのＢＢ断面図である。
【図３】  本発明の実施の形態２を示す電気掃除機用床ブラシの底面図である。
【図４】  本発明の実施の形態２を示す電気掃除機用床ブラシのＣＣ断面図である。
【図５】  本発明の実施の形態２を示す電気掃除機用床ブラシの動作説明図である。
【図６】  本発明の実施の形態２を示す電気掃除機用床ブラシのシール材の斜視図である。
【図７】  本発明の実施の形態３を示す電気掃除機用床ブラシの底面図である。
【図８】  本発明の実施の形態３を示す電気掃除機用床ブラシのＤＤ断面図である。
【図９】  従来の電気掃除機用床ブラシの底面図である。
【図１０】  図９の側面ＡＡ断面図である。
【図１１】  シール材の組み立て図である。
【図１２】  毛ブラシの斜視図である。
【図１３】  従来の電気掃除機用床ブラシの動作説明図である。
【符号の説明】
１  床ブラシ、２  上ケース、３  吸入口、４  吸入通路、５  下ケース、５ａ  底面、５ｂ  底面部、９  カップリング、１０  床面、１５  吸入口部、１７  前車輪、１８  後車輪、２０  シール材、２１ホルダー、２５  じゅうたん、２９  連通穴、３０  空間、３１  連通溝、３２  段部。
【図１】
0003903308.tif 000002
【図２】
0003903308.tif 000003
【図３】
0003903308.tif 000004
【図４】
0003903308.tif 000005
【図５】
0003903308.tif 000006
【図６】
0003903308.tif 000007
【図７】
0003903308.tif 000008
【図８】
0003903308.tif 000009
【図９】
0003903308.tif 000010
【図１０】
0003903308.tif 000011
【図１１】
0003903308.tif 000012
【図１２】
0003903308.tif 000013
【図１３】
0003903308.tif 000014